(57)【要約】【課題】ランプ自体の手動による操作が可能で、ランプの消し忘れのない、簡単な構造で故障がしにくい、コスト安のルームランプの照明構造を提供する。【解決手段】使用位置と収納位置との間で回動可能に車両ルーフ部に設けられたサンバイザー１０と、収納位置に収納されたサンバイザー１０で覆われる車両ルーフ部に設けられたルームランプ２０と、ルームランプ自身またはその近傍に設けられたルームランプの点消灯用スイッチ（レンズ）２０Ｌと、を備え、スイッチ２０Ｌはオン位置とオフ位置の間を動き、スイッチ２０Ｌがオン位置（傾斜状態）２０ｎにあるときにサンバイザー１０を収納位置に収納したらサンバイザー１０によってスイッチ２０Ｌが物理的にオン位置からオフ位置（水平状態）２０ｈに動くようにした。【選択図】図２
2011201355.tif 000002
【特許請求の範囲】
【請求項１】
使用位置と収納位置との間で回動可能に車両ルーフ部に設けられたサンバイザーと、前記収納位置に収納されたサンバイザーで覆われる前記車両ルーフ部に設けられたルームランプと、前記ルームランプ自身またはその近傍に設けられた前記ルームランプの点消灯用スイッチと、を備え、
前記スイッチはオン位置とオフ位置の間を動き、前記スイッチが前記オン位置にあるときに前記サンバイザーを前記収納位置に収納したら前記サンバイザーによって前記スイッチが物理的に前記オン位置から前記オフ位置に動くようになることを特徴とするルームランプの照明構造。
【請求項２】
前記スイッチが前記オン位置と前記オフ位置の間を動くシーソースイッチまたはスライドスイッチであり、前記サンバイザーに突起を設け、前記サンバイザーが前記収納位置に収納されるとき前記突起が前記スイッチを前記オン位置から前記オフ位置に動かすことを特徴とする請求項１記載のルームランプの照明構造。
【請求項３】
前記サンバイザーの端部側を支持するフックを前記スイッチと同一のケースに一体に設けたことを特徴とする請求項１記載のルームランプの照明構造。
【発明の詳細な説明】
【技術分野】
【０００１】
本発明は、点灯中の自動車用ルームランプをサンバイザーの収納によって消灯するようにするルームランプの照明構造に関するもので、特に使用者の任意の操作によりランプを点消灯できるルームランプであってサンバイザーを収納することによってルームランプを確実に消灯できるルームランプの照明構造に関するものである。
【背景技術】
【０００２】
車両室内照明装置として従来からマップランプとバニティーランプとがあり、マップランプはインストルメントパネルの車幅方向センター上方の車両ルーフ部に設けられ、バニティーランプはサンバイザーの裏面に取り付けられていた。このようにそれぞれ独立に取り付けられていたマップランプとバニティーランプが、その後、１つのルームランプとして共用されるようになった。このようなルームランプの照明構造として、次の３つに分類されることができる。
（１）  ルームランプがサンバイザーの収納位置に設けられ、サンバイザー収納時に自動消灯し、サンバイザー使用時に自動点灯するもの（特許文献１参照）。
（２）  ルームランプがサンバイザーの収納位置に設けられ、サンバイザー使用時に自動点灯してバニティーランプとして使用し、さらにサンバイザー収納時でもマップランプとして使えるもの（特許文献２参照）。
（３）  ルームランプがサンバイザー本体に取り付けられるもの（特許文献３参照）。
【０００３】
〈特許文献１記載の発明の長短〉
ルームランプがサンバイザーの収納位置に設けられ、サンバイザーを収納位置に収納したときにサンバイザーの一端でルームランプのスイッチを押して消灯し、サンバイザー使用時にサンバイザーを収納位置から出したときにそれまでサンバイザーの一端で押されていたルームランプのスイッチが解放されてルームランプが点灯して、室内を照明するものである。サンバイザーの開閉移動に連動してルームランプが自動的に点消灯するので便利であるが、逆に、ランプ自体の手動による操作ができないという問題点（問題点Ａ）があった。また、サンバイザーが浮き上がるとルームランプが再点灯することとなった。
【０００４】
〈特許文献２記載の発明の長短〉
ルームランプがサンバイザーの収納位置に設けられ、サンバイザーを収納位置に収納したときにサンバイザーの一端でルームランプのスイッチを押して消灯し、サンバイザー使用時にサンバイザーを収納位置から出したときにそれまでサンバイザーの一端で押されていたルームランプのスイッチが解放されてルームランプが点灯して、室内を照明するものである。さらに、サンバイザーに貫通口とこの貫通口を開閉するスライドを設け、スライドを移動させて貫通口を開けるとスライドの移動でスイッチが閉じてルームランプが自動点灯し貫通口から光が室内に射し込み、スライドを移動させて貫通口を閉じるとスライドの移動でスイッチが開いてルームランプが自動消灯するものである。サンバイザーの開閉移動に連動してルームランプが自動的に点消灯すると共に、スライドの移動でもルームランプが自動的に点消灯するので便利であるが、サンバイザーに貫通口を設け、内部にスライドやスイッチを設けるなど複雑なサンバイザーとなってしまい、故障し易いという問題点（問題点Ｂ）があった。
また、ランプの点消灯をスライドの移動と連動させないで、別途設けたスイッチで点消灯させるようにすると回路は簡単化するが、ランプがサンバイザーやスライドに隠れるため、点灯したままランプを隠すといったランプの消し忘れの可能性が生じるという問題点（問題点Ｃ）があった。
【０００５】
〈特許文献３記載の発明の長短〉
ルームランプがサンバイザー本体に取り付けられるので、操作性がよく、ランプの消し忘れも生じないが、サンバイザーアーム部分に電気回路を通す必要となり、構造が複雑となり、故障がし易く、またコスト高となる問題点（問題点Ｂ）があった。
【先行技術文献】
【特許文献】
【０００６】
【特許文献１】実開平１−１２３７１５号公報
【特許文献２】特開２００９−１６１１４３号公報
【特許文献３】特開平６−１２７２７２号公報
【発明の概要】
【発明が解決しようとする課題】
【０００７】
本発明は、上記課題を解決するためになされたもので、ランプ自体の手動による操作が可能で、ランプの消し忘れのない、サンバイザーアーム部分に電気回路を通す必要のない、簡単な構造で故障がしにくい、コスト安のルームランプの照明構造を提供することを目的とするものである。
【課題を解決するための手段】
【０００８】
上記目的を達成するために、第１発明は、使用位置と収納位置との間で回動可能に車両ルーフ部に設けられたサンバイザーと、前記収納位置に収納されたサンバイザーで覆われる前記車両ルーフ部に設けられたルームランプと、前記ルームランプ自身またはその近傍に設けられた前記ルームランプの点消灯用スイッチと、を備え、前記スイッチはオン位置とオフ位置の間を動き、前記スイッチが前記オン位置にあるときに前記サンバイザーを前記収納位置に収納したら前記サンバイザーによって前記スイッチが物理的に前記オン位置から前記オフ位置に動くようにしている。
また、第２発明は、第１発明において、前記スイッチが前記オン位置と前記オフ位置の間を動くシーソースイッチまたはスライドスイッチであり、前記サンバイザーに突起を設け、前記サンバイザーが前記収納位置に収納されるとき前記突起が前記スイッチを前記オン位置から前記オフ位置に動かすようにしている。
また、第３発明は、第１発明において、前記サンバイザーの端部側を支持するフックを前記スイッチと同一のケースに一体に設けるようにしている。
【発明の効果】
【０００９】
以上のように、本発明によれば、ランプ自体の手動による操作が可能で、ランプの消し忘れのない、サンバイザーアーム部分に電気回路を通す必要のない、簡単な構造で故障がしにくい、コスト安のルームランプの照明構造が得られる。
また、スイッチが一旦オフになれば、ルームランプが再点灯することがなくなる。
【図面の簡単な説明】
【００１０】
【図１】図１は本発明の実施例１を説明する縦断面図で、消灯しているランプの手動による点灯までを説明する図である。
【図２】図２は本発明の実施例１を説明する縦断面図で、点灯しているランプのサンバイザーによる消灯までを説明する図である。
【図３】図３はランプをより確実に消灯するための実施例２を説明する縦断面図である。
【図４】図４は実施例３に係る発明で、オン・オフ動作が逆タイプのランプを消灯する説明の縦断面図である。
【図５】図５はスイッチが別途存在するタイプのランプの斜視図である。
【図６】図６は実施例４に係る発明の構成を説明する図で、（Ａ）は実施例４に係るランプの意匠面を示す平面図、（Ｂ）はランプの意匠裏面にある機能部を示す平面図、（Ｃ）はサンバイザーを開いた状態の平面図である。
【図７】図７は実施例４に係るスイッチノブの動作を説明する図６（Ａ）のＡ−Ａ断面矢視図で、（Ａ）はサンバイザーが開状態、（Ｂ）はサンバイザーが閉状態をそれぞれ示している。
【図８】図８は実施例５に係るサンバイザーの端部側を支持するフックとスイッチ兼用ランプを備えたハウジングを説明する斜視図である。
【図９】図９は実施例５に係るサンバイザーの端部側を支持するフックとスイッチ兼用ランプの構造を説明する図で、（Ａ）は図８（Ａ）のＡ−Ａ断面矢視図（縦断面図）、（Ｂ）はスイッチ兼用ランプのスイッチが取るオンとオフの２つの状態とそのときのランプの状態を示す斜視図である。
【図１０】図１０は実施例５の動作を説明するランプおよびサンバイザーの縦断面図で、（Ａ）はフックに引っ掛けられたサンバイザーが開いた状態、（Ｂ）はフックに引っ掛けられたサンバイザーが閉じた状態を示している。
【図１１】図１１は実施例６に係る発明で、フックに掛けられたサンバイザーでオン・オフ動作が逆タイプのランプを消灯する説明の縦断面図で、（Ａ）はフックに引っ掛けられたサンバイザーが開いた状態、（Ｂ）はフックに引っ掛けられたサンバイザーが閉じた状態を示している。
【図１２】図１２は本発明が適用されようとしている従来公知のランプとサンバイザーの位置関係を説明する正面図で、（Ａ）はサンバイザー使用時、（Ｂ）はサンバイザー収納時である。
【図１３】図１３は本発明が使用するスイッチ兼用ランプを説明する図で、（Ａ）は天井部ハウジングに取り付けられたランプを斜め下から見上げた斜視図、（Ｂ）はランプを天井に取り付ける場合の２つの設置状態を示す平面図で、（イ）は横向き、（ロ）は縦向きに設置したそれぞれ平面図である。
【図１４】図１４は本発明が使用するスイッチ兼ランプの構造を説明する図で、（Ａ）は図１３（Ａ）のＡ−Ａ断面矢視図（縦断面図）、（Ｂ）はスイッチ兼用ランプのスイッチが取るオンとオフの２つの状態とそのときのランプの状態を示す斜視図である。
【発明を実施するための形態】
【００１１】
以下、ランプ自体の手動による操作が可能で、ランプの消し忘れのない、サンバイザーアーム部分に電気回路を通す必要のない、簡単な構造で故障がしにくい、コスト安となる本発明に係るルームランプの照明構造について説明する。
【００１２】
〈ランプとサンバイザーの位置関係〉
図１２は本発明が適用されようとしている従来公知のランプとサンバイザーの位置関係を説明する正面図で、（Ａ）はサンバイザー使用時、（Ｂ）はサンバイザー収納時である。サンバイザー１０は天井部ハウジング５０に回動支持部１０Ｈを介して回転可能に取り付けられている。
図１２（Ａ）のようにランプを使用するときは、サンバイザー１０を回動支持部１０Ｈに対して下側に回動すると、ランプ取り付け位置１０Ｓが開いて運転者から見えるようになり、手動でランプの点消灯が可能となる。
そして、ランプの非使用時にはサンバイザー１０を図１２（Ａ）の矢印Ｆの方向に回動支持部１０Ｈに対して上側に回動させると、サンバイザー１０は図１２（Ｂ）のように閉じた状態になって、ランプ取り付け位置１０Ｓがサンバイザー１０に隠れ、ランプは見えなくなる。
【００１３】
〈本発明で使用するスイッチ兼用ランプ〉
次に、本発明で使用するランプについて説明する。
図１３は本発明が使用するスイッチ兼用ランプを説明する図で、（Ａ）は天井部ハウジングに取り付けられたランプを斜め下から見上げた斜視図、（Ｂ）はランプを天井に取り付ける場合の２つの設置状態を示す平面図で、（イ）は横向き、（ロ）は縦向きに設置したそれぞれ平面図である。また、図１４は本発明が使用するスイッチ兼ランプの構造を説明する図で、（Ａ）は図１３（Ａ）のＡ−Ａ断面矢視図（縦断面図）、（Ｂ）はスイッチ兼用ランプ（以後、その機能から単にスイッチまたはランプという場合がある。）２０のスイッチが取るオンとオフの２つの状態とそのときのランプの状態を示す斜視図である。
図１３に示すランプ２０は、支軸２０Ｊ（図１３の（イ））を中心に水平状態と傾斜状態を取るシーソー運動によるスイッチ機能を備えている。図１４（Ｂ）の（イ）のようにランプ２０が「水平」状態２０ｈのとき「オフ」（消灯）で、（ロ）のようにランプ２０が「傾斜」状態２０ｎのとき「オン」（点灯）するようなタイプのランプである。もちろん、この逆の動作をするランプも存在しており、ランプ２０が「水平」状態２０ｈのとき「オン」（点灯）で、「傾斜」状態２０ｎのとき「オフ」（消灯）するタイプのランプ（後述）もある。ランプ２０は天井に運転者から見て、図１３（Ｂ）の（イ）のように横向き配置と（ロ）のように縦向き配置とがあり、それぞれ支軸２０Ｊ、２０Ｊ’を中心に水平状態と傾斜状態のシーソー運動をする。図１３（Ａ）のランプ２０は図１３（Ｂ）の（イ）のように横向き配置を取り、水平状態（図１４（Ｂ）の（イ））にあるので、消灯している。この水平状態にあるランプ２０の端部を指先で軽く天井側に押すと傾斜状態（図１４（Ｂ）の（ロ））になりランプ２０は点灯する。
図１４（Ａ）の縦断面図において、ランプ２０は天井部ハウジング５０に開けられた開口に向けてレンズ２０Ｌ側を下方にしてハウジング端部２０Ｋが差し込まれ、固定される。レンズ２０Ｌの裏にはバルブ２０Ｖが点灯回路を含む機能部２０Ｓ（図６（Ｂ）参照）と共に配置されている。レンズ２０Ｌはスイッチ機能を有し、支軸に対してシーソー運動できるようになっている。
【実施例１】
【００１４】
〈サンバイザーによるランプの消灯動作〉
図１および図２は本発明の実施例１を説明する縦断面図で、図１は消灯しているランプの手動による点灯まで、図２は点灯しているランプのサンバイザーによる消灯までを説明する図である。
図１（Ａ）はサンバイザー１０がランプ２０（消灯）を覆っている場合、（Ｂ）はサンバイザー１０がランプ２０（消灯）から退避しつつある場合、（Ｃ）はサンバイザー１０がランプ２０から退避し終わって、レンズ２０Ｌが手動で押されて傾斜状態になって、バルブ２０Ｖが点灯した場合をそれぞれ示す縦断面図である。
【００１５】
〈ランプの手動による点灯まで〉
図１（Ａ）において、サンバイザー１０がランプ２０に平行にかつ近接した状態では、シーソー運動するレンズ２０Ｌはサンバイザー１０によって水平状態２０ｈにされるため、消灯状態（図１４（Ｂ）の（イ））となっている。
図１（Ｂ）において、サンバイザー１０がランプ２０から退避すると、レンズ２０Ｌはシーソー運動できるようになり、手動による点灯が可能となる。
図１（Ｃ）において、サンバイザー１０がランプ２０から退避し終わって、ランプ２０が運転者から見えるようになり、運転者がレンズ２０Ｌの端部を指で押して傾斜状態２０ｎ（図１４（Ｂ）の（ロ））にすると、バルブ２０Ｖが点灯して、車内が照明される。また、レンズ２０Ｌの反対側端部を指で押すと水平状態２０ｈに戻って、バルブ２０Ｖが消灯する。
このように、本発明によると、サンバイザー１０が収納位置（図Ａ）と使用位置（図Ｃ）との間で回動可能に車両ルーフ部に設けられており、ランプ２０はサンバイザー１０が収納位置（図Ａ）に収納されたときのサンバイザー１０で覆われる位置に設けられており、サンバイザー１０がシーソー運動するランプ２０に接しているとレンズ２０Ｌは強制的に水平状態にされるのでランプ２０は消灯状態になっている。
そして、サンバイザー１０がランプ２０から離れると、レンズ２０Ｌは運転者から見えるようになってレンズ２０Ｌを押すことができるようになるので、手動点灯することができ、また手動消灯もできるようになる。これによって、従来の欠点Ａを解消している。
【００１６】
〈ランプのサンバイザーによる物理的消灯まで〉
図２（Ａ）において、サンバイザー１０がランプ２０から離れており、レンズ２０Ｌが手動で押されて傾斜状態２０ｎになっているので、バルブ２０Ｖは点灯している。サンバイザー１０がランプ２０から離れているので、手動消灯ができる。
図２（Ｂ）において、サンバイザー１０を使用しなくなり、サンバイザー１０を収納位置に戻すためランプ２０に接近し始める。
図２（Ｃ）において、サンバイザー１０が点灯状態のランプ２０に接すると、それまで傾斜状態（オン）にあったレンズ２０Ｌは強制的に水平状態にされるのでバルブ２０Ｖは消灯する。
このように、本発明によると、レンズ２０Ｌがオン位置（傾斜状態）にあるときに、サンバイザー１０を収納位置（図２（Ｃ））に収納したら、サンバイザー１０によってレンズ２０Ｌが物理的にオン位置（傾斜状態）からオフ位置（水平状態）に移動させられるようになり、バルブ２０Ｖは消灯する。
このように、本発明によると、レンズ２０Ｌを押すことで点灯するのでランプ自体の手動による操作ができるため、従来装置の問題点Ａ（特許文献１のランプの手動による点消灯操作ができない）が解消し、また、従来装置の問題点Ｂ（特許文献２および３のサンバイザーアーム部分に電気回路を通すような複雑な構造となり、故障がし易く、またコスト高となる）も解消し、コストダウンとなり、さらにサンバイザー１０を収納したらサンバイザー１０によってレンズ２０Ｌが物理的にオフさせられるようになるため、従来装置の問題点Ｃ（ランプの消し忘れの可能性）が解消する。
【実施例２】
【００１７】
〈ランプ２０の確実な消灯〉
図３はランプ２０をより確実に消灯するための実施例２を説明する図で、ランプの縦断面図である。図３（Ａ）は図１（Ｃ）に対応し、図３（Ｂ）は図２（Ｃ）に対応する図である。図３のサンバイザー１０が図１および図２のサンバイザー１０と異なる点は、サンバイザー１０の裏側（ランプ２０のレンズ２０Ｌに対向する側）で、レンズ２０Ｌの端部に対向する部位に突起１０Ｔを形成している点である。
図３（Ａ）において、サンバイザー１０がランプ２０から退避してランプ２０が開かれた状態では、運転者は指でレンズ２０Ｌ（すなわちスイッチ）の端部を軽く押すことができるようになり、指でレンズ２０Ｌの左端部を押すことで水平状態から傾斜状態になり、バルブ２０Ｖは図３（Ａ）のように点灯する。
図３（Ｂ）において、サンバイザー１０がランプ２０に接近すると、サンバイザー１０の裏側の突起１０Ｔがレンズ２０Ｌの右端部を押すようになり、サンバイザー１０とレンズ２０Ｌが平行に接する前にバルブ２０Ｖを図３（Ｂ）のように確実に消灯することができる。
【実施例３】
【００１８】
〈オン・オフ動作が逆タイプのランプの消灯〉
図４は実施例３に係る発明で、オン・オフ動作が逆タイプのランプを消灯するための構造である。図４（Ａ）は図３（Ａ）に対応し、図４（Ｂ）は図３（Ｂ）に対応する図であるが、図４のサンバイザー１０が図３のサンバイザー１０と異なる点は、サンバイザー１０の突起１０Ｔの位置である。図３のサンバイザー１０の突起１０Ｔはレンズ２０Ｌを水平状態に戻す位置にあったが、図４のサンバイザー１０の突起１０Ｔは水平状態にあるレンズ２０Ｌを傾斜状態にする位置に設けられている。
そして、ここで使用するランプ２０は実施例１および２で用いたランプ２０と逆で、水平状態で点灯（図４（Ａ）参照）し、傾斜状態で消灯（図４（Ｂ）参照）するタイプのランプである。
図４（Ａ）において、サンバイザー１０がランプ２０から退避してランプ２０が開かれた状態ではそれまでレンズ２０Ｌは傾斜状態にあって消灯していたが、傾斜状態にあったレンズの右端部を軽く押すことで水平状態になり、バルブ２０Ｖは図４（Ａ）のように点灯する。また、図４（Ｂ）において、サンバイザー１０がランプ２０に接近すると、サンバイザー１０の裏側の突起１０Ｔが水平状態にあったレンズ２０Ｌの左端部を物理的に押すようになり、レンズ２０Ｌが傾斜してバルブ２０Ｖは図４（Ｂ）のように消灯することとなる。
このように実施例３によれば、オン・オフ動作が逆タイプのランプに対しても本発明を同じように適用することができるようになる。
【実施例４】
【００１９】
〈スイッチが別途存在するタイプのランプの消灯〉
実施例４はスイッチが別途存在するタイプのランプの消灯に関する発明である。
図５はスイッチが別途存在するタイプのランプの斜視図である。実施例１〜３で用いたスイッチはレンズ２０Ｌ自体のシーソー動作でオン・オフするものであったが、実施例４で用いるスイッチは通常のスイッチを用いるもので、ランプ２０とは別体に天井部ハウジング５０のランプ２０の近傍にスイッチ３０が設けられている。
実施例４によれば、スイッチ３０の操作方向を車輌に対して垂直になるように配置し、サンバイザー１０に設けた消灯用突起１０Ｎがサンバイザー１０が収納される際のサンバイザー１０の動作でスイッチ３０のノブ３０Ｎ（図６（Ａ））を移動させるようにするものである。
図６は実施例４に係る発明の構成を説明する図で、（Ａ）は実施例４に係るランプの意匠面を示す平面図、（Ｂ）はランプの意匠裏面にある機能部を示す平面図、（Ｃ）はサンバイザー１０を開いた（使用中）状態の平面図である。図７は実施例４に係るスイッチノブの動作を説明する図６（Ａ）のＡ−Ａ矢視断面図である。図７（Ａ）はサンバイザー１０が開状態、図７（Ｂ）はサンバイザー１０が閉状態をそれぞれ示している。
図６（Ａ）において、レンズ２０Ｌに対して近接配置されたスイッチノブ３０Ｎは下方の位置でオン、上方の位置でオフとなるようにハウジング２０Ｋに配置している。レンズ２０Ｌの裏側に配置されている機能部２０Ｓ（図６（Ｂ））はこのスイッチノブ３０Ｎの切り替わりで、オン位置でバルブを点灯させ、オフ位置でバルブを消灯させるように動作させる。図６（Ｃ）のサンバイザー１０の天井合わせ面には消灯用突起１０Ｎが設けられている。消灯用突起１０Ｎの配置位置は、サンバイザー１０が収納される際に消灯用突起１０Ｎがスイッチノブ３０Ｎに接触する位置に設けられている。消灯用突起１０Ｎにはテーパが形成されていて、消灯用突起１０Ｎがスイッチノブ３０Ｎを押すにしたがってスイッチノブ３０Ｎがオン位置からオフ位置に押しやられる形状となっている。
図７（Ａ）のサンバイザー１０が開状態では、ハウジング２０Ｋ（図６（Ａ）参照）に配置されたスイッチノブ３０Ｎは手動で操作可能であり、スイッチノブ３０Ｎを上方のＯＦＦ位置から下方のＯＮ位置へ下げることによりレンズ２０Ｌ（図６（Ａ）参照）は点灯する。このとき機能部２０Ｓ（図６（Ｂ）参照）によってレンズ２０Ｌ（図６（Ａ）参照）は点灯動作になる。開状態にあるサンバイザー１０は矢印方向に回転軌道を動いて閉動作するようになる。サンバイザー１０には消灯用突起１０Ｎが設けられており、サンバイザー１０が収納される際にこの消灯用突起１０Ｎがスイッチノブ３０Ｎに接触した後、これを上方へ移動させるような形状のテーパが形成されているので、図７（Ｂ）のサンバイザー１０が閉状態になると、消灯用突起１０Ｎがスイッチノブ３０Ｎに接触した後、さらに押し付けるようになって、そのテーパ形状によって消灯用突起１０Ｎが徐々に図で斜め上方のＯＦＦ（オフ）状態位置方向へ押し上げられるようになり、最終的にＯＦＦ状態位置に達する。これによってレンズ２０Ｌ（図６（Ａ））は消灯する。
以上、実施例１〜４に共通して言えることは、ライトが必要なときのみ手動で点灯させることができかつ手動で消灯もできるが、サンバイザーの収納動作で確実に消灯することができる、したがって、ランプの消し忘れがなくなる、ということである。また、モーメンタリースイッチでないため、回路的にも特別なスイッチを配置しなくてもよい。
【実施例５】
【００２０】
〈サンバイザーの端部側を支持するフック付きハウジング〉
図８〜図１０は実施例５を説明する図で、図８は実施例５に係るサンバイザーの端部側を支持するフックとスイッチ兼用ランプを備えたハウジングを説明する図で、天井部ハウジングに取り付けられたハウジングを斜め下から見上げた斜視図である。また、図９は実施例５に係るサンバイザーの端部側を支持するフックとスイッチ兼用ランプの構造を説明する図で、（Ａ）は図８（Ａ）のＡ−Ａ断面矢視図（縦断面図）、（Ｂ）はスイッチ兼用ランプのスイッチが取るオンとオフの２つの状態とそのときのランプの状態を示す斜視図である。
図８に示すスイッチ兼用ランプ２０は支軸を中心に水平状態と傾斜状態を取るシーソー運動によるスイッチ機能を備えている。図９（Ｂ）の（イ）のようにランプ２０（図８）が「水平」状態２０ｈのとき「オフ」（消灯）で、（ロ）のようにランプ２０が「傾斜」状態２０ｎのとき「オン」（点灯）するようなタイプのランプである。スイッチ兼用ランプ２０は運転者から見て縦向き配置されている。図８のランプ２０は水平状態（図９（Ｂ）のイ）にあるので、消灯している。この水平状態にあるランプ２０の端部を指で天井側に押すと傾斜状態（図９（Ｂ）のロ）になりランプ２０は点灯する。この長方形状のランプ２０の長さ方向延長上の天井部ハウジング５０にサンバイザー１０の端部側を支持するフック４０が車輌に対して垂直になるように形成されている
図９（Ａ）の縦断面図において、ランプ２０は天井部ハウジング５０に開けられた開口に向けてレンズ２０Ｌ側を下方にしてハウジング２０Ｋが差し込まれ、固定される。レンズ２０Ｌの裏にはバルブ２０Ｖが配置されている。レンズ２０Ｌはスイッチ機能を有し、支軸に対してシーソー運動できるようになっている。レンズ２０Ｌの一端近傍の天井部ハウジング５０にフック４０が設けられており、これにサンバイザー１０の端部が引っ掛けられる。
図１０は実施例５の動作を説明する図で、ランプおよびサンバイザーの縦断面図である。図１０（Ａ）はサンバイザー１０がフック４０に引っ掛けられて開いた状態になっており、図１０（Ｂ）はフック４０に引っ掛けられたサンバイザーが閉状態を示している。図１０（Ａ）において、サンバイザー１０がフック４０を中心に回動してランプ２０から退避して開かれた状態では、運転者は指でレンズ２０Ｌ（図９（Ａ））の端部を押すことができるようになっている。そこで指でレンズ２０Ｌの左端部を押すことで水平状態から図１０（Ａ）に示す傾斜状態２０ｎになり、バルブ２０Ｖは点灯する。また、指でレンズ２０Ｌの反対側を押すと水平状態に戻り、バルブ２０Ｖは消灯する。
次に、図１０（Ｂ）において、サンバイザー１０がフック４０を中心に回動してランプ２０に接近すると、サンバイザー１０の裏側面が、化粧面から浮き出ていたレンズ２０Ｌ（図９（Ａ））の右端部を押し戻すようになり、水平状態に戻って、バルブ２０Ｖは消灯する。
実施例５では、フック形状を照明と一体化したことにより、より確実にレンズ意匠面を押すことが可能となる。
【実施例６】
【００２１】
〈フックに掛けられたサンバイザーでオン・オフ動作が逆タイプのランプを消灯〉
図１１は実施例６に係る発明で、フックに掛けられたサンバイザーでオン・オフ動作が逆タイプのランプを消灯するための構造である。すなわち、ここで使用するランプ２０は実施例５で用いたランプ２０と逆で、水平状態で点灯（図１１（Ａ）参照）し、傾斜状態で消灯（図１１（Ｂ）参照）するタイプのランプである。
また、図１１のサンバイザー１０が図１０のサンバイザー１０と異なる点は、サンバイザー１０に突起１０Ｔを設けた点と、この突起１０Ｔの高さ相当分の空隙をレンズ２０ｎとサンバイザー１０との間に設けている点である。サンバイザー１０の突起１０Ｔは水平（ＯＮ）状態２０ｈにあるレンズの端部を押して、傾斜（ＯＦＦ）状態２０ｎにするためのものである。
図１１（Ａ）において、サンバイザー１０がランプ２０から退避してランプ２０が開かれた状態ではそれまでレンズ２０Ｌは傾斜状態にあって消灯していたが、傾斜状態にあったレンズの右端部を軽く押すことで水平状態になり、バルブ２０Ｖは図１１（Ａ）のように点灯する。また、図１１（Ｂ）において、サンバイザー１０がランプ２０に接近すると、サンバイザー１０の裏側の突起１０Ｔが水平状態にあったレンズ２０Ｌの左端部を物理的に押すようになり、レンズ２０Ｌが傾斜してバルブ２０Ｖは図１１（Ｂ）のように消灯することとなる。
実施例６でも、フック形状を照明と一体化したことにより、より確実にレンズ意匠面を押すことが可能となり、また、オン・オフ動作が逆タイプのランプに対しても本発明を同じように適用することができるようになる。
【００２２】
〈まとめ〉
以上のように、本発明によれば、サンバイザーを収納位置に収納するときのサンバイザーによってランプのスイッチを物理的にオン位置からオフ位置に動くようにしているので、ランプの消し忘れがなくなり、またサンバイザーを使用中はランプ自体の手動による操作が可能となり、さらにサンバイザーアーム部分に電気回路を通す必要のない、簡単な構造で故障がしにくい、コスト安のルームランプの照明構造が得られる。
【符号の説明】
【００２３】
１０  サンバイザー
１０Ｈ  回動支持部
１０Ｎ  消灯用突起
１０Ｓ  ランプ取り付け位置
１０Ｔ  突起
２０  スイッチ兼用ランプ
２０ｈ  水平状態
２０ｎ  傾斜状態
２０Ｊ、２０Ｊ’  支軸
２０Ｋ  ハウジング
２０Ｌ  レンズ
２０Ｓ  機能部
２０Ｖ  バルブ
３０Ｎ  スイッチノブ
４０  フック
５０  天井部ハウジング
【図１】
2011201355.tif 000003
【図２】
2011201355.tif 000004
【図３】
2011201355.tif 000005
【図４】
2011201355.tif 000006
【図５】
2011201355.tif 000007
【図６】
2011201355.tif 000008
【図７】
2011201355.tif 000009
【図８】
2011201355.tif 000010
【図９】
2011201355.tif 000011
【図１０】
2011201355.tif 000012
【図１１】
2011201355.tif 000013
【図１２】
2011201355.tif 000014
【図１３】
2011201355.tif 000015
【図１４】
2011201355.tif 000016